(57)【要約】  電気泳動ディスプレイシステム（１０）を用いた装置が開示されている。エレベーターシステム（２４）のための配線システムの簡略化が可能な様々な構造の詳細が展開されている。詳細な一実施例においては、電気泳動装置と共にタッチスクリーン装置（１０４）が用いられ、エレベーターシステムのエレベーター配車コントローラ（３８）にデータが送信される。
2005514289.tif 000002
【特許請求の範囲】
【請求項１】
多数の階床Ｆ１〜Ｆ１０と構造用の第一の電力源（５６）とを有する構造（２３）に配されたエレベーターシステム（２４）であって、エレベーターシステムは、第一の電力源に接続されてもされなくてもよいエレベーターシステム用の第二の電力源（６２）を有し、エレベーターシステムは少なくとも１つの昇降路Ｃ１〜Ｃ４を有し、各昇降路は構造の階床にサービスを提供するために第二の電力源（６２）により駆動されて昇降路内で垂直に移動するエレベーターかご（５２）を有し、エレベーターシステムは階床の送受信機に情報を送信するように設けられた電磁的な無線通信システム（６６）を有するエレベーター配車コントローラ３８を有するエレベータシステムにおいて、
少なくとも一つの視覚的信号（２８ｄ、２８ｕ、３２ｄ、３２ｕ、３４ｄ、３４ｕ、４６ｓ）を通信するためのディスプレイ層（９６）を有する電気泳動ディスプレイシステム（１０）と、
送受信機（８８）を含むとともに、電気泳動ディスプレイシステム（１０）に情報を通信するために装置（２８、３２、３４、４６）に接続された、階床における送受信モジュール（６８）と、
電気泳動ディスプレイシステム（１０）のための第三の電力源（６４、６４ｃ、６４ｇ、６４ｒ、６４ｒ／６４ｃ、６４ｒ／６４ｅ）と、
第三の電力源（６４ｃ、６４ｇ、６４ｒ、６４ｒ／６４ｃ、６４ｒ／６４ｅ）から電気泳動ディスプレイシステム（１０）まで延在する連続的な導体（６５）であって、第三の電力源は構造を介して延在する第一の電力源と連続的な導体で接続されておらず、かつエレベーターシステムの昇降路を介して延在する第二の電力源（６２）と連続的な導体で接続されていない、連続的な導体と、を有し、
電気泳動ディスプレイシステムと、送受信モジュールと、装置の第三の電力源とがそれぞれ同じ階に配置され、送受信モジュールが電気泳動ディスプレイシステム（１０）と電気的に通信することを特徴とする、関連する階床におけるエレベーターシステム（２４）のためのエレベーター用装置（２８、３２、３４、４６）。
【請求項２】
第三の電力源（６４ｃ、６４ｇ、６４ｒ、６４ｒ／６４ｃ、６４ｒ／６４ｅ）は送受信モジュール（６８）に連続的な導体（６５）で接続されていることを特徴とする、請求項１記載のエレベーターシステム（２４）のためのエレベーター用装置（２８、３２、３４、４６）。
【請求項３】
第三の電力源（６４ｇ、６４ｒ、６４ｒ／６４ｃ、６４ｒ／６４ｅ）はガルバニ電池を有することを特徴とする、請求項１記載のエレベーターシステム２４のためのエレベーター用装置（２８、３２、３４、４６）。
【請求項４】
ガルバニ電池が充電式のガルバニ電池（６４ｒ、６４ｒ／６４ｃ、６４ｒ／６４ｅ）であることを特徴とする、請求項３記載のエレベーターシステム２４のためのエレベーター用装置（２８、３２、３４、４６）。
【請求項５】
第三の電力源（６４ｒ、６４ｒ／６４ｃ、６４ｒ／６４ｅ）は第一のエネルギー源５８Ｌが利用可能であり、充電式のガルバニ電池が第一のエネルギー源からエネルギーを受け取り、第一のエネルギー源は構造を介して延在する第一の電力源（５６）あるいはエレベーターシステムの昇降路を介して延在する第二の電力源（６２）からエネルギーを受け取ることを特徴とする、請求項４記載のエレベーターシステム２４のためのエレベーター用装置（２８、３２、３４、４６）。
【請求項６】
構造は、第一の電力源（５６）からエネルギーを受け取って照明を提供する照明システム（５８）を有し、第三の電力源（６４ｒ／６４ｃ）は少なくとも一つの光電池（６４ｃ）を有し、充電式のガルバニ電池は前記少なくとも一つの光電池に接続され、光電池は構造の照明システムから提供される照明（５８Ｌ）からエネルギーを受け取ることを特徴とする、請求項５記載のエレベーターシステム２４のためのエレベーター用装置（２８、３２、３４、４６）。
【請求項７】
第三の電力源（６４ｒ／６４ｃ）は少なくとも一つの光電池を有することを特徴とする、請求項１記載のエレベーターシステム（２４）のためのエレベーター用装置（２８、３２、３４、４６）。
【請求項８】
第三の電力源（６４ｒ／６４ｅ）は構造（２３）内に配置される電磁気装置（６４ｅ）の一部を有し、電磁気装置が発電のために互いに移動可能な要素を有し、第三の電力源（６４ｒ、６４ｒ／６４ｅ）の充電式のガルバニ電池（６４ｒ）は電磁気装置（６４ｅ）の前記一部と接続されていることを特徴とする、請求項５記載のエレベーターシステム（２４）のためのエレベーター用装置（２８、３２、３４、４６）。
【請求項９】
エレベーターシステムは少なくとも一つの動作状態を有し、前記視覚的な信号はホール装置の視覚的な信号であり、少なくとも一つの動作状態において電気泳動ディスプレイシステム（１０）のディスプレイ層（９６）が少なくとも一つのホール装置の視覚的な信号（２８ｄ、２８ｕ、３２ｄ、３２ｕ、３４ｄ、３４ｕ、４６ｓ）を表示し、ホール装置の視覚的な信号（２８ｄ、２８ｕ、３２ｄ、３２ｕ、３４ｄ、３４ｕ、４６ｓ）は呼び出し装置信号（３２ｄ、３２ｕ）、呼び出しランプ装置信号（３４ｄ、３４ｕ）、ランプ装置信号（２８ｄ、２８ｕ）およびエレベーター位置指示装置信号（４６ｓ）からなる群から選択されることを特徴とする、請求項１記載のエレベーターシステム（２４）のためのエレベーター用装置（２８、３２、３４、４６）。
【請求項１０】
ディスプレイ層（９６）は前記動作状態においてランプ装置信号（２８ｄ、２８ｕ）、呼び出し装置信号（３２ｄ、３２ｕ）、呼び出しランプ装置信号（３４ｄ、３４ｕ）およびエレベーター位置指示装置信号（４６ｓ）を表示することを特徴とする、請求項９記載のエレベーターシステム（２４）のためのエレベーター用装置（２８、３２、３４、４６）。
【請求項１１】
ランプ装置信号（２８ｄ、２８ｕ）は上昇ホールランプ装置信号（２８ｕ）と下降ホールランプ装置信号（２８ｄ）とを含み、ディスプレイ層（９６）は一つの動作状態において第一の位置において上昇ランプ装置信号（２８ｕ）を表示し、第二の動作状態において第一の位置において下降ランプ装置信号（２８ｄ）表示することを特徴とする、請求項９記載のエレベーターシステム（２４）のためのエレベーター用装置（２８、３２、３４、４６）。
【請求項１２】
ディスプレイ層（９６）は湾曲していて構造（２３）から外方向に突出し、ディスプレイ層（９６）が装置から横向きにずれた位置からも見ることができることを特徴とする、請求項１記載のエレベーターシステム（２４）のためのエレベーター用装置（２８、３２、３４、４６）。
【請求項１３】
装置はディスプレイ層（９６）の上に配置されるタッチスクリーン（１０６）を有するタッチスクリーン装置（１０４）を含み、タッチスクリーン（１０６）は送受信モジュール（６８）と電気的に通信することを特徴とする、請求項１記載のエレベーターシステム（２４）のためのエレベーター用装置（２８、３２、３４、４６）。
【請求項１４】
タッチスクリーン装置（１０４）は送受信モジュール（６８）と連続的な導体（９４）で接続されていることを特徴とする、請求項１３記載のエレベーターシステム（２４）のためのエレベーター用装置（２８、３２、３４、４６）。
【請求項１５】
ディスプレイ層（９６）は一つの動作状態においてホール呼び出し装置信号（３２ｄ、３２ｕ）をディスプレイ層（９６）の第一の位置に表示するように設けられており、タッチスクリーン（１０６）はディスプレイ層（９６）の第一の位置と軸の方向で一致する第一の位置を有し、タッチスクリーンに触れることによってタッチスクリーンが送受信モジュール６８に呼び出し信号を送信し、呼び出し信号が認識された後、別の動作状態において装置が第一の位置にランプ装置信号（２８ｄ、２８ｕ）をディスプレイに表示するようになっていることを特徴とする、請求項１３記載のエレベーターシステム（２４）のためのエレベーター用装置（２８、３２、３４、４６）。
【請求項１６】
タッチスクリーン（１０６）は第一の位置において表面から延びた突出部を有し、該突出部はその突出部の形状によってホール呼び出し装置のための触知性の文字あるいは記号を示すことを特徴とする、請求項１５記載のエレベーターシステム（２４）のためのエレベーター用装置（２８、３２、３４、４６）。
【請求項１７】
電気泳動ディスプレイシステム（１０）は部分的に反射性の粒子で形成されたディスプレイ層（９６）を有し、構造はディスプレイ層（９６）に照明を当てる照明システムを有することを特徴とする、請求項１記載のエレベーターシステム（２４）のためのエレベーター用装置（２８、３２、３４、４６）。
【請求項１８】
電気泳動ディスプレイシステム（１０）は光を発する電気泳動材料（１６）の粒子で部分的に形成されたディスプレイ層（９６）を有することを特徴とする、請求項１記載のエレベーターシステム（２４）のためのエレベーター用装置（２８、３２、３４、４６）。
【請求項１９】
送受信モジュール（６８）は電気泳動ディスプレイシステム（１０）に連続的な導体（６５）で接続されていることを特徴とする、請求項１記載のエレベーターシステム（２４）のためのエレベーター用装置（２８、３２、３４、４６）。
【請求項２０】
装置はエレベーター位置指示装置であり、ディスプレイ層（９６）上に配置されるタッチスクリーン（１０６）を含み、タッチスクリーン（１０６）が送受信モジュールと電気的に通信し、タッチスクリーン（１０６）はエレベーター位置指示装置上に延在して、到着するエレベータに対する呼び出し階を特定する信号（７２）をエレベーター配車コントローラ（３８）に送信することを特徴とする、請求項９記載のエレベーターシステム（２４）のためのエレベーター用装置（２８、３２、３４、４６）。
【発明の詳細な説明】
【技術分野】
【０００１】
本発明はエレベーター配車コントローラと各階のホール装置などの装置との間の通信のために電磁信号を用いるエレベーターシステムに関する。装置は、運転を要請するためのデータ入力、および各階における利用者に応答し、または情報を提供するため、エレベーターシステムに用いられる。エレベーター配車コントローラは一群のエレベーターのためのグループコントローラであってよく、あるいは単一のエレベーターのための単一のコントローラであってもよい。
【背景技術】
【０００２】
従来のエレベーターシステムは各階に設備を有する。設備は、グループコントローラにエレベーターかごを要請するための呼び出しボタンなどの上昇コール装置、およびグループコントローラが要請を登録したことを示す付随のランプ（最上階を除く）を含む。同様に、エレベーターシステムは下降の呼び出しボタンおよびグループコントローラが要請を登録したことを示す付随のランプ（最下階を除く）を含む。エレベーターシステムはまた、エレベーターかごの到着を事前に知らせる音響信号を提供するためのベルを含む。
【０００３】
加えて、各階の各々のエレベーターの乗降口にはどのエレベーターが到着しそうなのかを知らせるランプ装置、およびどちらのランプ装置が点灯しているかによってエレベーターの進行方向を知らせる一連のランプ装置を有する。最上階および最下階は一連のランプ装置につきランプ装置をただ一つだけ有し、残りの階は一連のランプ装置につき二つのランプを有する。
【０００４】
最後にロビーの階などの重要な階においては、エレベーターグループのそれぞれのエレベーター用のかご位置表示装置が備えられ、対応するエレベーターかごが現在どの階に位置するのかを知らせる。これらは高価なため、通常各階には備えられない。位置する階はエレベーターが利用可能である階に等しい（エレベーターが止まることのできる次の階、あるいは止まっている階）。これらの装置は、それぞれエレベーター配車コントローラから装置に信号を伝えるための昇降路を通した一組の配線、および電力をそれぞれの装置に供給するための昇降路を通した一組の配線を必要とする。これは設備において一つのエレベーター、あるいはエレベーターグループを用いる場合に当てはまる。
【０００５】
いくつの個々の処理装置が用いられているのかにかかわらず、エレベーターグループは各々のエレベーターかごのためのかごコントローラを用い、またグループの全体のためのグループコントローラを用いる。各々のかごコントローラは走行ケーブルを用いて対応したエレベーターかごと通信し、各種のかごコントローラは配線を介してグループコントローラと通信する。次に、グループコントローラは配線を介して各ホール装置と通信する。
【０００６】
それぞれが１５〜２５の階床を有するいくつかのグループなどの大きなシステムにおいては、膨大な配線を必要とする。性能向上を図る場合においては、建物内に組み込まれたエレベーターの配線に変更を加えることは非常に難しく、ないしは配線に適した変更は性能向上の本質を制限し、非常に妨げになる。使用中の建物にエレベーターの性能向上あるいは新しいエレベーターシステムを施す場合、建物の配線の再配線あるいは再構成に必要な時間は妨げとなる。作業中の煩わしい運転停止は最小限に留め、作業時間中にテナントが一部のエレベーターを続けて利用できるようにしなくてはならない。
【０００７】
一つのアプローチは、電磁送受信機を用い、各階の各ホール装置に関連した一つ以上の対応した送受信機と通信することである。このアプローチの一つの例として、本発明の譲受人に譲渡された国際特許出願ＷО００／３４１６９号、フィン等による「ワイヤレスエレベーターホール装置」が挙げられる。
【０００８】
この特許出願によると、送受信機がホール装置のために呼び出しを送信し、また認識されたことを受信し、装置に付随するランプに簡単なオン／オフ信号を送信する。上記出願はランプの代わりに液晶ディスプレイを使用することについて述べている。上記出願によると、コントローラおよび各階の間の配線の必要性は解消されるわけではなく、この目的においての各階に必要な配線を減らし、ほんのわずかな量にする。また、上記出願は既に建物内に組み込まれた信号配線にこだわらない代替装置を容認している。上記出願は確かに多大な量の配線の必要性を無くし、柔軟性を提供する。また、上記出願の教示は、配線の量およびコストを抑え、将来的な性能向上を可能にする新しい建築様式に用いることができ、同時に既存のシステムの改装および性能向上に応用するのに有利に用いられる。しかしながら、上記出願はそれぞれの装置およびランプあるいはランプの代わりに用いられる液晶ディスプレイに電力を供給する配線の必要性を無くしていない。
【０００９】
従って、上述の技術と異なり、出願譲受人の方向に沿って研究している科学者および技術者はそれぞれの装置に延在する電気配線の必要性を無くす方法を開発することを追及してきた。
【発明の開示】
【課題を解決するための手段】
【００１０】
本発明は、電気泳動ディスプレイシステムを有する装置が電気泳動ディスプレイシステムを無線通信と共に用いることができるという認識に幾分基礎を置いている。また、電気泳動ディスプレイがエレベーターシステムに特に適応できるという認識にも幾分基礎を置いている。これは電気泳動ディスプレイシステムへの情報の無線通信および装置を運転するのに必要な電力量によって装置に独立した電力源を用いることが可能になることから生じる。これにより、複雑で不都合な電力源への配線などの接続が回避される。上述したように電力源のリモート位置により複雑な配線用ハーネスが必要になる。とりわけ、装置から昇降路へと延在し、またそこから昇降路あるいはエレベーターが取り付けられている構造のために電力源へと延在する連続的な導体を避けることができる。
電気泳動ディスプレイシステム１０の略図が図１に示されている。電気泳動ディスプレイシステムには沢山のマイクロカプセル１２などの微小な区画を含む。各々のマイクロカプセルには液体１４および液体中に入っている電気泳動材料１６が含まれる。そのようなマイクロカプセルの例が、米国特許第５，９６１，８０４号、ジャコブソン等の「カプセル化された電気泳動ディスプレイ」に示される。電気泳動材料とは電場に応じて移動する材料であり、そのような場で移動または回転し、ないしは移動および回転もする材料を含む。ジャコブソン等によるとマイクロカプセルのための電気泳動材料は反射性のあるいは光を放つ粒子または液体を含む。
【００１１】
電気泳動ディスプレイシステムにおいては、図１に示される二つの電極１８、２０などの装置の付近に配置され、電気泳動材料に電場をかける。電気泳動ディスプレイシステムの一例はＥインク電子ディスプレイで、マサチューセッツ州、ケンブリッジのＥインク社から市販されている。液状の「キャリア媒体」が典型的なプロセスにおいて「インク」を形成するのに用いられ、事実上どんな表面にもマイクロカプセルを運び、固定する。これは既存の印刷工程で行われ、例としてスクリーン印刷工程などが挙げられる。一実施例では、回路層にラミネート加工されたプラスチック膜のシートにＥインクが印刷される。回路層（電極）はディスプレイドライバによって制御することのできるピクセル模様を形成する。
【００１２】
用語「電気泳動ディスプレイシステム」はジリコンシステムとして知られる同様の実施例をカバーする。ジリコンシステムは半分黒および半分白く塗られた帯電した微小な玉を用いる。この玉は、液体で満たされた小さなキャビティ内に浮かび、電場に応じて回転し、ディスプレイを形成する。ジリコンシステムはカルフォルニア州、パロアルト、ゼロックス社、パロアルト研究センターにより開発された。
【００１３】
本発明によれば、エレベーター用装置は無線通信システムと通信するための送受信モジュールを有し、装置はさらに視覚的な情報を受け、利用者に伝える電気泳動ディスプレイシステムを有し、エレベーターシステムあるいは自身の周りからエネルギーを受けるが、連続的な導体とは無関係である電気泳動ディスプレイシステムに接続された電力源（第三の電力源）を有する。連続的な導体はエレベーターが取り付けられている筐体および昇降路のための電力源を含む第一または第二の補助電力源に接続されている。
【００１４】
本発明の詳細な一実施例によれば、装置は電気泳動ディスプレイシステムのための第一のスクリーンと、第一のスクリーン上に横たわる第二のスクリーン（タッチスクリーン）とを含む。第二のタッチスクリーンはタッチスクリーン上に盛り上がった標識記号を有し、視覚的に問題のある人によって認識される。
【００１５】
詳細な一実施例によれば、電気泳動ディスプレイシステムは反射性の粒子を有し、周辺光に照らされ、電力源は周辺光からエネルギーを受け取る光電池である。
【００１６】
別の詳細な実施例によれば、電力源はガルバニ電池である。
【００１７】
別の詳細な実施例によれば、電気泳動ディスプレイシステムのための電力源は補助電力源と電磁エネルギーを用いた無線のインターフェースを有し、例えば充電式のガルバニ電池にエネルギーを供給する誘導結合装置が挙げられる。
【００１８】
別の詳細な実施例によれば、電力源は光電池からエネルギーを受け取るガルバニ電池である。
【００１９】
別の詳細な実施例によれば、電気泳動ディスプレイシステムは湾曲したスクリーンを有する。
【００２０】
別の詳細な実施例によれば、少なくとも一つのエレベーター用装置は、ホールランプ、ホール位置指示装置、ホール呼び出し装置およびエレベーターかご運転パネルディスプレイからなる群の内から選択される。
【００２１】
本発明の主要な特徴は、電気泳動ディスプレイシステムを有するエレベーターのための装置である。もう一つの特徴は電気泳動ディスプレイシステムのための電力源である。特定の一実施例によれば、電力源はガルバニ電池である。詳細な一実施例においては、電力源は充電式のガルバニ電池である。
【００２２】
本発明の主要な利点は、安全の水準および整備コストと時間の削減にあり、これは装置に電力を供給するために昇降路および装置に機械的に接続された配線を有する昇降路を電力源として用いることを避けることによるものである。他の利点は装置を取り付けるコストであり、これは昇降路にアクセスすることを必要とせずに局所的に装置を取り付けることができる能力によるものである。加えて、電気泳動材料の付近の電場を電子的に調節し、ディスプレイに表示される言語の異なる要求に適応することにより、世界の色々な地方において設置されるエレベーターのための装置設計に共通のハードウェアが用いられる。他の利点は整備のコストであり、これは昇降路および装置の間に延在し、装置への電力供給に関係する配線を有さず、雑然とした部分のより少ない昇降路によるものである。
【００２３】
上で述べられた本発明の特徴および利点は続く本発明の詳細な説明および添付図面に照らしてより明らかになる。
【発明を実施するための最良の形態】
【００２４】
図２はＦ１階〜ＦＮ階の多数の階床にわたって働く本発明を用いたエレベーターシステム２４を有する構造２３の一部の正面図を示す。エレベーターシステムは多数の乗降口２６を有する。本実施例においては、四つのエレベーター昇降路Ｃ１〜Ｃ４が存在する。Ｆ１階からＦＮ階の各階は、昇降路Ｃ１〜Ｃ４を有し、ホール装置２８、３２、３４、３６を有し、ランプ装置信号２８ｄ、２８ｕで示されるランプ装置２８およびボタン信号３２ｕおよび３２ｄで示される呼び出し装置３２を含む。それぞれの装置は一つの装置であるが、別々の装置として用いられる。図５、６、６Ａ、７、および７Ａで示されるように、二つのタイプの装置は組み合わされる。
【００２５】
各々のランプ装置２８は電気泳動ディスプレイシステム１０を有し、これは図１においてより詳細に図示されている。この説明は図５、６、６Ａ、７、７Ａに図示されたシステムおよび可能なディスプレイ信号の別の実施例に則して後になされる。これらのホール装置信号は電気泳動ディスプレイシステムによって可視化される。ランプ装置は下降ランプ装置信号２８ｄ（またはイメージ）を、最下階を除いた各階に有し、また上昇ランプ装置信号２８ｕを、最上階を除いた各階に有する。
【００２６】
最上階ＦＮ階を除く各々の階は、タッチスクリーン（図示せず）および電気泳動ディスプレイシステム（図示せず）を含む呼び出し装置３２を有する。これらは呼び出しボタン３２ｕのイメージ（信号）および付随する呼び出し登録ランプ３４ｕのイメージで示される。呼び出し登録ランプ３４ｕはボタンイメージ３２ｕを囲む従来の「光輪」すなわち輪のイメージとすることができる。ボタンイメージ３２ｕの上のタッチスクリーンを押すと、グループコントローラ３８で示されるエレベーター配車コントローラに、利用者が現在いる階から上に移動したいと呼び出していることを知らせ、そしてグループコントローラが呼び出しを登録するとランプイメージ３４ｕの色を変える信号を送り返し、利用者に呼び出しが登録されたことを知らせる。最下階Ｆ１階を除く各々の階の装置は、下降方向への呼び出しボタンイメージ３２ｄおよび対応するランプイメージ３４ｄを有する。各階において、Ｃ１〜Ｃ４のいずれかの昇降路においてエレベーターが対応した階に到着しそうになると、ベルが鳴る。
【００２７】
各々の昇降路Ｃ１〜Ｃ４は対応したかごコントローラ４２を有する。かごコントローラのグループはグループコントローラ３８によって管理される。かごコントローラはグループコントローラ３８と配線ケーブル４４により相互接続されている。これは壁内であるよりはむしろ空間であるアクセス可能なダクトを介して配線が導かれ機械室の階で起きるため、当然難しくない。ロビーの階などの重要な階においては、各々の昇降路Ｃ１〜Ｃ４は、かご位置指示装置４６を有し、エレベーターが運転しているどんな瞬間においても対応するエレベーターの利用可能位置イメージ４６ｓ（かご位置指示装置信号）を表示する。
【００２８】
図３に図示されているように、従来のエレベーターかご５２は、自身のかごコントローラ４２と移動ケーブル５４を用いて通信する。建物は部分的に切り欠かれた電力ケーブル５６で示される第一の電力源を含む。電力ケーブルは連続的な導体（例として配線）によって電灯５８によって示される照明システムなどの照明源に接続される。建物はエレベーター乗降口２６にその辺りを照明で照らす電灯を各階に有する。エレベーターシステムの第二の電力源は配線用ハーネス６２などの連続的な導体の一部で示されるが、明確にするために切り欠いて示されている。配線用ハーネスは建物のための外部の電力源あるいは第一の電力源に電気的に接続される。一つ以上の光電池６４ｃで示される第三の電力源６４は、各階の電灯あるいは建物外からの自然光により、照明される。従って、照明は第三の電力源のための第一のエネルギー源５８Ｌの一例である。第三の電力源は昇降路付近の階のみにおいて利用でき、連続的な導体６５（図４に図示）によって図４において装置３２で示されている装置２８、３２、３４、３６に接続されている。連続的な導体は昇降路の中へは延在していない。装置は第一の電力源あるいは第二の電力源に連続的な導体を用いて接続されてはいない。
【００２９】
図４はグループコントローラあるいは一つのエレベーターの特定のコントローラなどのエレベーター配車コントローラ３８と装置３２の間の電磁連結を図示した略図である。装置３２は図２で示される装置２８、３２、３４、３６と共に用いられる電気泳動ディスプレイ１０システムを有する。図２および図４で示されるように、グループコントローラ３８は建物の各階のどんな、または全ての対応した装置送受信モジュール６８とも通信する電磁送受信モジュール６６を有する。本実施例では、装置は自身に付属する局所的に配置された電子機器を有することが想定され、状態指令に呼応して運転することが可能になる。例として、呼び出しボタンイメージ３２ｕ、３２ｄの内の一つの装置を押すと、その階において上昇方向へ、あるいは下降方向への呼び出しを示す関連する階の装置送受信モジュール６８からの対応する信号７２を引き起こす。同様に、グループコントローラ送受信モジュール６６からの単一の信号７４が特定の送受信機モジュール６８に通信され、呼び出し要請を認識する。従ってこれらの信号は個別的なもので、対応した所望の作用を引き起こすために呼応する。残りの要請信号７４はボタンランプイメージ３４ｕ、３４ｄ、ランプ装置イメージ３２ｄ、３２ｕあるいはどんなかご位置指示イメージをも簡単に表示、非表示する。
【００３０】
図４で示されるように、また上で述べたように、コントローラ送受信モジュール６６はエレベーター配車コントローラ３８に二方向の情報の流れを示す矢印７６で示される連続的な導体で接続されている。連続的な導体は配線あるいは他の導電性要素などを通る電流のための連続した通路が存在するところに存在する。接続はまた電磁気装置への接続による電磁接続を備える。用語「連続的な導体」は電磁接続を含まない。
【００３１】
コントローラ送受信モジュール６６は、物理的にエレベーター配車コントローラ３８の一部であってよく、あるいは物理的にエレベーター配車コントローラから離して配置されてよい。コントローラ送受信モジュールはマイクロプロセッサなどのマイクロコントローラー７８を含み、エレベーター配車コントローラからの情報を信号に変換し、ＲＦ（無線周波数）送受信機８２によってアンテナ８４を経由して送信される。
【００３２】
装置３２は装置送受信モジュール６８、少なくとも一つの電気泳動ディスプレイシステム１０、および第三の電力源６４を含む。この特定の実施例における電気泳動ディスプレイはマサチューセッツ州ケンブリッジのＥインク社から市販されているＥインクシステムである。
【００３３】
装置送受信モジュール６８はアンテナ８６、ＲＦ送受信機８８およびマイクロプロセッサ９２で示されたマイクロコントローラーを含む。装置送受信モジュールは，装置からのデータ信号７２を送信し、エレベーター配車コントローラから認識などのデータ信号７４を受信する。装置送受信モジュールは、物理的に装置の残りの一部であってよく、あるいは物理的に装置の残りから離れて配置されてもよい。装置送受信モジュールは、連続的な導体９４で電気泳動ディスプレイシステムに接続されるが、電磁気装置によって接続されてもよい。
【００３４】
電気泳動ディスプレイシステム１０は図４に、また図５において説明するための別の実施例として示される。図５は装置のこの部分の一実施例の概略図である。図４および図５に示されるように、電気泳動ディスプレイシステムはディスプレイ層９６を含む。この層は液体１４および液体中に分散された光を放つあるいは反射性の粒子１６の入ったマイクロカプセルで形成される。電気泳動ディスプレイシステムの本質はそれ自身の内にあり、本発明の一部ではない。
【００３５】
マイクロカプセル１２は紙やプラスチック薄膜などの支持材料２２の柔軟な層に取り付けられる。紙２２は、説明のため図４において切り欠かれている。図１に概略図として示されたように、ディスプレイ層は明確にするために切り欠かれた柔軟な層の両側に配置された二つの電極を含み、電極は、柔軟な材料上の柔軟な層の下に配置される第一の電極１８、および柔軟な層の上に配置される透明な第二の電極２０によって示される。電極に電荷を与えると、正に帯電した粒子１６（例として反射性の白い粒子）は液体１４内でディスプレイ側にあるいはディスプレイ側から離れるように動く。ディスプレイ側の粒子はマイクロカプセル（あるいはピクセル）を白く表示させ、ディスプレイ側からディスプレイ側ではない方に移動した粒子は、ディスプレイ上のディスプレイ側のマイクロカプセルを液体の色（例として青）で表示させることにつながる。
【００３６】
ディスプレイドライバ９８はリンク１０２を介して電極１８、２０と通信し、適した記号あるいは文字が表示されるようにする。ディスプレイドライバは矢印９４で示される連続的な導体などのリンクを経由して情報を受け取る。あるいは、マイクロコントローラーとディスプレイドライバの間は電磁接続されてもよい。
【００３７】
電気泳動ディスプレイシステム１０は単体で用いられてもよく、あるいはいくらかの実施例においては図４および図５で示されるタッチスクリーン装置１０４と共に用いられてよい。図４および図５に示される実施例は、９０６７０カルフォルニア州、サンタフェスプリングス、パイオニア通り１０４３０−２のデンシトロン社から市販されているデンシトロンタッチスクリーンなどの抵抗性タッチスクリーン１０６を含む。タッチスクリーンはディスプレイ層９６の全体に渡っていてもよく、あるいはディスプレイ層が利用者の入力を必要としない情報を表示するディスプレイ層の部分において広がってもよい。デンシトロンタッチスクリーン装置は、図４および図５においてエレクトロニクス層１０６で示されるタッチスクリーンを含み、タッチスクリーンはデンシトロンタッチスクリーンコントローラ１０８と電気的に通信し、リンク１１２を介してホール呼び出し装置からのエレベーターかごの呼び出しなどのデータを送受信モジュール６８へと送信する。
【００３８】
ブロック６４によって示された第三の電力源は、光電池６４ｃと、充電装置に接続された充電式のガルバニ電池６４ｒとの組み合わせを含むガルバニ電池６４ｇと、からなる群から選択される。例として、第三の電力源は光電池６４ｃなどの充電装置に接続された充電式のガルバニ電池６４ｒ（第三の電力源６４ｒ／６４ｃ）、あるいは電磁気装置６４ｅの一部に接続されたガルバニ電池６４ｒ（第三の電力源６４ｒ／６４ｅ）であってよい。概して電磁気装置は第三の電力源６４ｒ／６４ｅの一部６４ｅと比較して移動可能な要素を有し、第三の電力源に電力を移送する。
【００３９】
第三の電力源６４は、光電池６４ｃ、ガルバニ電池６４ｇ、あるいは充電式ガルバニ電池６４ｒおよび充電装置（６４ｒ／６４ｃ、６４ｒ／６４ｅ）であるにしろ、連続的な導体によって第一および第二の電力源に直接接続されない。先に説明したように、光電池は電力源から自然光の光あるいは図３に示される電灯５８からの照明などの第一のエネルギー源５８Ｌによってエネルギーを受け取る。電灯は第一の電力源からエネルギーを受け、第三の電力源にエネルギーを供給するが、連続的な導体によって直接第三の電力源に接続されてはいない。あるいは、第一のエネルギー源が、第一の電力源６２あるいは第二の電力源６４からエネルギーを受け取る電磁気装置の他の部分によって生じた移動電磁場である可能性もある。
【００４０】
建物内の第一の電力供給源あるいは昇降路内の第二の電力源と連続的な導体で接続されていない装置のための第三の電力供給源から重要な利点が生じる。連続的な導体を省くことにより、昇降路内に延在する配線の必要性、あるいは建物の電力システムに頼り、接続する必要性を無くす。これにより、単一のエレベーターあるいは一群のエレベーターを含むにしろ、エレベーターシステムの性能向上の際にスピードおよび単純さなどの利点が提供される。事実上、コストおよびエレベーターシステムの運転停止時間から、旧式の設備の一群のエレベーターを配線し直すことはほぼ不可能だということが経験的に示されている。このような場合においては、利点は新しいホール装置は既存のホール装置と並行して取り付けることができるところにあり、なぜなら新しいホール装置は装置を運転するのに必要なエネルギーを第三の電力源のみに依存するからである。
【００４１】
これは部分的に装置２８、３２、３４、３６を運転するのに必要な電力量によって可能となる。電気泳動ディスプレイシステム１０は電気泳動ディスプレイ層によって表示されるディスプレイの種類によるものの、液晶ディスプレイよりも１０〜１００倍小さな電力量を必要とすることが見積もられる。例として、タッチスクリーン１０６、ディスプレイドライバ９８、タッチスクリーンコントローラ１０８および送受信モジュール６８と共に働く４インチ四方のディスプレイを有する装置は、ディスプレイの表示を変えるのに１５０ｍＷ以下の電力を必要とし、またディスプレイの表示を維持するには電力をほとんど必要としない。
【００４２】
装置送受信モジュール６８は第三の電力源６４から過度の電力量を取り出さないため、第三の電力源に直接接続されてもよい。従って、際立った利点は、電気泳動ディスプレイシステムの運転にはあまり電力が必要ではないため、残りの装置において追加利用可能な電力が残されることによる。
【００４３】
電気泳動ディスプレイ層９６は多くの利点を有する。例として、装置が柔軟性に富み、図３に示されるように曲げることができ、湾曲したホールランプおよび位置指示装置を形成し、１８０°に広がった視点においても見ることができる。利用者は通路の脇などの側からも装置を見ることができる。利用者は従って利用者が建物の中に入った時点でエレベーターの位置を知ることができ、利用者がエレベーターシステムに近付くに連れてエレベーターシステムの状態についての情報を得ることができる。
【００４４】
先に述べたように、本エレベーターシステムは多くの動作状態を有する。エレベーターかごはその階（利用者）から遠ざかるかもしれないし、その階に近付いたり、他の階で停止したりあるいはその階に到着するかもしれない。電気泳動ディスプレイシステム１０を有する一つ以上の装置は従来のシステムと同じように、しかし特定の利点を有しながら、可視的な信号を介してかごの情報を通信するのに用いられる。例として、一つのディスプレイ層は一つ、一つ以上、あるいは呼び出し装置信号、ランプ装置信号、およびかご位置指示装置信号など全てのホール装置の視覚的な信号をディスプレイに表示できる。
【００４５】
図６および図６Ａはホール装置の異なった動作状態に関連した視覚的な信号の概略図である。図６に示されるように、電気泳動ディスプレイシステム１０内のタッチスクリーン装置１０４は「上」の矢印３２ｕの上の輪郭の上のタッチスクリーン１０６を押すことにより「上」方向への呼び出しを選択するのに用いられうる。エレベーター配車コントローラから認識したことを受け、視覚的な信号は図６Ａに示される構成に変わり、上昇ランプ装置信号２８ｕと共に呼び出し信号を認識したことをディスプレイに表示する。「選択する方向を押して下さい」の表記は「下」方向への呼び出しの輪郭の横に表示される。従って、呼び出し装置信号はディスプレイ層の第一の位置に表示され、タッチスクリーンはディスプレイ層の第一の位置と軸の方向に一列に並んだ第一の位置を有し、タッチスクリーンに触れることによってタッチスクリーンは送受信モジュール６８に呼び出し信号を送信する。呼び出し信号が認識された後、ディスプレイ層は第一の位置にランプ装置信号を表示し、信号装置が二つの装置（呼び出し装置、ランプ装置）の役割をこなすことが可能になる。
【００４６】
最後に、ディスプレイ層の全ての表示は利用客の選択、文化、あるいは現在の要望次第で容易に適合される。図７に示されるようにディスプレイに英語を表示すること、あるいは図７Ａに示されるようにディスプレイにドイツ語を表示することにより、一つの装置ハードウェアがアメリカ合衆国およびドイツ連邦共和国においての導入に用いられうる。装置はディスプレイに利用者が要求する動作を演じたイメージ、あるいはより小さなフォントでの記号文字のイメージを表示するようにさえ再度プログラムし直すことができる。
【００４７】
本発明の詳細な実施例に関連して本発明は示され、また説明されたが、請求の範囲に記載されている本発明の趣旨と範囲から離れること無く形態および詳細における様々な変更を加えることができることを、当業者は理解する必要がある。
【図面の簡単な説明】
【００４８】
【図１】マイクロカプセルおよびその粒子とディスプレイシステムの電気回路（電極）の関係を示す、電気泳動ディスプレイシステムのためのマイクロカプセルの説明図である。
【図２】エレベーターシステムを有する建物の一部の正面図である。
【図３】昇降路に配置されたエレベーターシステムのかごを示す、図２の建物の側面図である。
【図４】エレベーター配車コントローラおよびコントローラと電磁通信する装置の説明図である。
【図５】図２の装置の別の実施例の分解斜視図である。
【図６】エレベーターシステムの第一の動作状態を示す、図２のホール呼び出し装置の別の実施例の説明図である。
【図６Ａ】エレベーターシステムの第二の動作状態を示す、図６のホール呼び出し装置の説明図である。
【図７】エレベーターシステムの第一の動作状態を示す、図６のホール呼び出し装置の別の英語による実施例の説明図である。
【図７Ａ】エレベーターシステムの第一の動作状態を示す、図６のホール呼び出し装置の別のドイツ語による実施例の説明図である。
【図１】
2005514289.tif 000003
【図２】
2005514289.tif 000004
【図３】
2005514289.tif 000005
【図４】
2005514289.tif 000006
【図５】
2005514289.tif 000007
【図６】
2005514289.tif 000008
【図６Ａ】
2005514289.tif 000009
【図７】
2005514289.tif 000010
【図７Ａ】
2005514289.tif 000011
【国際調査報告】
2005514289.tif 000012
2005514289.tif 000013